(57)【要約】      （修正有）【課題】２個１組によりコルゲートチューブを９０度の急曲げ状態に固定することができるチューブ曲げ角度固定ホルダーおよびワイヤハーネスを提供する。【解決手段】ワイヤハーネス１は、電線群とコルゲートチューブ３と２つのチューブ曲げ角度固定ホルダー４とを備える。チューブ曲げ角度固定ホルダー４は、第１の分割体５と第２の分割体６と係止凸部８および係止凹部９とコルゲートチューブ貫通孔とを有する。コルゲートチューブ貫通孔の中心線を通る一平面上に、第１の分割体５の端面部５ａには連結用凸部１３が設けられ、第２の分割体６の外周面部６ａには連結用凹部１４が設けられ、連結用凸部１３と、連結用凹部１４とが係合した２つのチューブ曲げ角度固定ホルダー４により、コルゲートチューブの９０度の急曲げ状態の範囲に連続する両側のストレート位置をそれぞれ抱持している。【選択図】図３
2017139863.tif 000002
【特許請求の範囲】
【請求項１】
第１の分割体と、
第２の分割体と、
前記第１の分割体と前記第２の分割体の合わせ面の一端同士を連結するヒンジと、
前記第１の分割体と前記第２の分割体の合わせ面の各他端に設けられ前記他端同士を係止する係止凸部および係止凹部と、
前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、
互いに連結可能な連結用凸部と連結用凹部のうち、前記連結用凸部が前記第１の分割体の端面部に設けられ、かつ前記連結用凹部が前記第２の分割体の外周面部に設けられていることを特徴とするチューブ曲げ角度固定ホルダー。
【請求項２】
第１の分割体と、
第２の分割体と、
前記第１の分割体と前記第２の分割体の合わせ面の一端同士を連結するヒンジと、
前記第１の分割体と前記第２の分割体の合わせ面の各他端に設けられ前記他端同士を係止する係止凸部および係止凹部と、
前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、
互いに連結可能な連結用凸部と連結用凹部のうち、前記連結用凹部が前記第１の分割体の端面部に設けられ、かつ前記連結用凸部が前記第２の分割体の外周面部に設けられていることを特徴とするチューブ曲げ角度固定ホルダー。
【請求項３】
第１の分割体と、
第２の分割体と、
前記第１の分割体と前記第２の分割体の合わせ面の一端同士を連結するヒンジと、
前記第１の分割体と前記第２の分割体の合わせ面の各他端に設けられ前記他端同士を係止する係止凸部および係止凹部と、
前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、
互いに連結可能な連結用凸部と連結用凹部のうち、前記連結用凸部が前記第１の分割体の外周面部に設けられ、かつ前記連結用凹部が前記第２の分割体の外周面部に設けられていることを特徴とするチューブ曲げ角度固定ホルダー。
【請求項４】
前記各半孔部の孔壁面より突出し、前記コルゲートチューブ貫通孔に挿通されるコルゲートチューブの蛇腹状の谷部に係合する円弧状凸部を有することを特徴とする請求項１から３のいずれか１項に記載のチューブ曲げ角度固定ホルダー。
【請求項５】
電線群と、
前記電線群を被覆するコルゲートチューブと、
請求項１から４のいずれか１項に記載の２つのチューブ曲げ角度固定ホルダーと、を備え、
前記２つのチューブ曲げ角度固定ホルダーにより、前記コルゲートチューブを９０度の急曲げ状態の範囲に連続する両側のストレート位置をそれぞれ抱持し、かつ前記２つのうちの一方の前記チューブ曲げ角度固定ホルダーに設けられた前記連結用凸部と、他方の前記チューブ曲げ角度固定ホルダーに設けられた前記連結用凹部とが係合していることを特徴とするワイヤハーネス。
【請求項６】
電線群と、
前記電線群を被覆するコルゲートチューブと、
２つのチューブ曲げ角度固定ホルダーと、を備え、
前記２つのチューブ曲げ角度固定ホルダーは、いずれも、
第１の分割体と、
第２の分割体と、
前記第１の分割体と前記第２の分割体の合わせ面の一端同士を連結するヒンジと、
前記第１の分割体と前記第２の分割体の合わせ面の各他端に設けられ前記他端同士を係止する係止凸部および係止凹部と、
前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、
互いに連結可能な連結用凸部と連結用凹部のうち、連結用凸部が、前記２つのチューブ曲げ角度固定ホルダーのうち、一方のチューブ曲げ角度固定ホルダーの周面部または端面部に設けられ、前記連結用凹部が前記他方のチューブ曲げ角度固定ホルダーの端面部または周面部に設けられ、
前記２つのチューブ曲げ角度固定ホルダーにより、前記コルゲートチューブを９０度の急曲げ状態の範囲に連続する両側のストレート位置をそれぞれ抱持し、かつ前記連結用凸部と前記連結用凹部とが係合していることを特徴とするワイヤハーネス。
【発明の詳細な説明】
【技術分野】
【０００１】
本発明は、コルゲートチューブを急曲げした状態に固定するチューブ曲げ角度固定ホルダーおよびワイヤハーネスに関する。
【背景技術】
【０００２】
従来、車両に配索されるワイヤハーネスにおいて、溶接バリが張り出している車体パネルで仕切られた狭小な配索空間内で配索経路を９０度曲げて配索しなければならない場合がある。この場合、溶接バリから電線群を保護するコルゲートチューブを９０度に曲がった状態を固定する機能を付加することが難しい。
【０００３】
そこで従来は、コルゲートチューブを９０度に曲げ、コルゲートチューブの曲げの中心から両側に所要寸法離れた位置に例えば特許文献１に示す２つのワイヤハーネス用クランプで抱持し、コルゲートチューブの曲げの中心を、配索経路における９０度に曲げる位置に合わせて、各ワイヤハーネス用クランプ車体パネルに固定していた。
【０００４】
特許文献２は、特許文献１のクランプの上述した使用条件外の使用において生じる問題点を取り上げている。すなわち、特許文献２は、特許文献１のクランプの直ぐ側方でコルゲートチューブが極端に大きく曲げられたときの、クランプ本体あるいは蓋体における両側縁のエッジにより、コルゲートチューブに潰れが生じるという問題点を取り上げ、これを解消できるケーブル用クランプを提案している。
【０００５】
図８，図９は、特許文献２と実質的に同一の構成を示すケーブル用クランプを示す図である。図８に示すように、このクランプ２０は、半円環状に成形されたクランプ本体２１と蓋体２２の一端同士がヒンジ２３で連結され、他端同士が一方に備えたソケット２４と他方に備えたロック片２５によりロックされる。クランプ本体２１および蓋体２２の各内周部２１ａ，２２ａに各３列に設けられた係止リブ２１ｂ，２２ｂが備えられ、クランプ本体２１および蓋体２２によってコルゲートチューブの外周を挟み込んで把持したときに、係止リブ２１ｂ，２２ｂがコルゲートチューブの外周の環状溝に噛み合う。内周部２１ａ，２２ａの両側縁２１ｃ，２２ｃは、外方に向かって開いた形状を呈する。図９に示すように、このクランプ２０は、電線束２６を挿通したコルゲートチューブ２７を把持し車両のボデー側に装着される。
【先行技術文献】
【特許文献】
【０００６】
【特許文献１】特開２００７−１４３３０９号公報
【特許文献２】特開２０１１−１７２４３４号公報
【発明の概要】
【発明が解決しようとする課題】
【０００７】
特許文献２に開示されたクランプ２０は、図９に示すように、使用に際してクランプ２０の直ぐ外側でコルゲートチューブ２７が急曲げされたときに、内周部２１ａ，２２ａの両側縁２１ｃ，２２ｃが外方に向かって開いた形状に形成されているから、両側縁２１ｃ，２２ｃがコルゲートチューブ２７を圧迫しないというものである。
【０００８】
すなわち、特許文献１に示す技術は、コルゲートチューブを９０度に曲げ、コルゲートチューブの曲げの中心から両側に所要寸法離れた位置に２つのワイヤハーネス用クランプを外嵌するのであるが、特許文献２に開示されたクランプ２０では、上述したコルゲートチューブの曲げの中心からクランプ取付位置までの寸法を短くできるというものに過ぎない。
【０００９】
特許文献２に開示されたクランプ２０は、コルゲートチューブ貫通孔の外端部がフレアになっていて直ぐ側方での急曲げに干渉しないようになっているのであり、コルゲートチューブ２７の急曲げ状態を固定する機能を有していない。
【００１０】
上記のように、従来のコルゲートチューブを抱持するクランプにおいては、コルゲートチューブの急曲げ状態を固定する機能を備えることについて何ら考慮されていないという問題点があった。
【００１１】
本発明は、上述のような課題を解決するためになされたもので、２個１組によりコルゲートチューブを９０度の急曲げ状態に固定することができるチューブ曲げ角度固定ホルダーおよびワイヤハーネスを提供することを目的としている。
【課題を解決するための手段】
【００１２】
本発明に係るチューブ曲げ角度固定ホルダーは、上記目的達成のため、第１の分割体と、第２の分割体と、前記第１の分割体と前記第２の分割体の合わせ面の一端同士を連結するヒンジと、前記第１の分割体と前記第２の分割体の合わせ面の各他端に設けられ前記他端同士を係止する係止凸部および係止凹部と、前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、別体に設けられているとすれば互いに連結可能な連結用凸部と連結用凹部のうち、前記連結用凸部が前記第１の分割体の端面部に設けられ、かつ前記連結用凹部が前記第２の分割体の外周面部に設けられた構成である。
【００１３】
また、本発明に係る他のチューブ曲げ角度固定ホルダーは、第１の分割体と、第２の分割体と、前記第１の分割体と前記第２の分割体の合わせ面の一端同士を連結するヒンジと、前記第１の分割体と前記第２の分割体の合わせ面の各他端に設けられ前記他端同士を係止する係止凸部および係止凹部と、前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、別体に設けられているとすれば互いに連結可能な連結用凸部と連結用凹部のうち、前記連結用凹部が前記第１の分割体の端面部に設けられ、かつ前記連結用凸部が前記第２の分割体の外周面部に設けられた構成である。
【００１４】
さらに、本発明に係る他のチューブ曲げ角度固定ホルダーは、第１の分割体と、第２の分割体と、前記第１の分割体と前記第２の分割体の合わせ面の一端同士を連結するヒンジと、前記第１の分割体と前記第２の分割体の合わせ面の各他端に設けられ前記他端同士を係止する係止凸部および係止凹部と、前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、別体に設けられているとすれば互いに連結可能な連結用凸部と連結用凹部のうち、前記連結用凸部が前記第１の分割体の外周面部に設けられ、かつ前記連結用凹部が前記第２の分割体の外周面部に設けられた構成である。
【００１５】
上記の３つの本発明は、いずれも、チューブ曲げ角度固定ホルダーを２個１組として用意し、２つのチューブ曲げ角度固定ホルダーにより、コルゲートチューブを９０度の急曲げ状態の範囲に連続する両側のストレート位置を２つのチューブ曲げ角度固定ホルダーによりそれぞれ抱持する。この場合、一方のチューブ曲げ角度固定ホルダーに設けられた連結用凸部と、他方のチューブ曲げ角度固定ホルダーに設けられた連結用凹部とを、コルゲートチューブを９０度に急曲げする側に合わせる必要がある。上記の３つの本発明に係るチューブ曲げ角度固定ホルダーは、連結用凸部と連結用凹部の、第１の分割体と第２の分割体に対して設けられている各位置が相違しているが、チューブ曲げ角度固定ホルダーを２個１組として用いるものであるから、各チューブ曲げ角度固定ホルダーをコルゲートチューブに対し外嵌する周方向位置を調整することにより、一方のチューブ曲げ角度固定ホルダーに設けられた連結用凸部と、他方のチューブ曲げ角度固定ホルダーに設けられた連結用凹部とを、コルゲートチューブを９０度に急曲げする側に合わせることができる。次いで、一方のチューブ曲げ角度固定ホルダーを固定して、他方のチューブ曲げ角度固定ホルダーを、コルゲートチューブのホルダー間の部分が９０度の急曲げ状態になるように移動し、一方のチューブ曲げ角度固定ホルダーに設けられた連結用凸部と、他方のチューブ曲げ角度固定ホルダーに設けられた連結用凹部とを連結する。これにより、２個１組のチューブ曲げ角度固定ホルダーによりコルゲートチューブを９０度の急曲げ状態に固定することができる。
【００１６】
上記の３つの本発明に係るチューブ曲げ角度固定ホルダーは、前記各半孔部の孔壁面より突出し、前記コルゲートチューブ貫通孔に挿通されるコルゲートチューブの蛇腹状の谷部に係合する円弧状凸部を有する構成が好ましい。
【００１７】
この構成により、チューブ曲げ角度固定ホルダーは、コルゲートチューブに対して位置ずれしないから、一方のチューブ曲げ角度固定ホルダーに設けられた連結用凸部と、他方のチューブ曲げ角度固定ホルダーに設けられた連結用凹部との連結箇所に余計な負荷がかからない。
【００１８】
本発明に係るワイヤハーネスは、電線群と、前記電線群を被覆するコルゲートチューブと、上記の３つの本発明に係る２つのチューブ曲げ角度固定ホルダーと、を備え、前記２つのチューブ曲げ角度固定ホルダーにより、前記コルゲートチューブを９０度の急曲げ状態の範囲に連続する両側のストレート位置をそれぞれ抱持し、かつ前記２つのうちの一方の前記チューブ曲げ角度固定ホルダーに設けられた前記連結用凸部と、他方の前記チューブ曲げ角度固定ホルダーに設けられた前記連結用凹部とが係合した構成である。
【００１９】
この構成により、溶接バリが張り出している車体パネルで仕切られた狭小な配索空間内で配索経路を９０度曲げて配索しなければならない場合に、チューブ曲げ角度固定ホルダーの２個１組により、コルゲートチューブを９０度の急曲げ状態に固定することができる。
【００２０】
この発明においては、２つのチューブ曲げ角度固定ホルダーのいずれもが連結用凸部と連結用凹部とを一対に有しており、連結に関与しない連結用凸部と連結用凹部とが存在する。そこで、本発明は、連結用凸部を１つ有するチューブ曲げ角度固定ホルダーと、連結用凹部を１つ有するチューブ曲げ角度固定ホルダーとを用いて、コルゲートチューブを９０度の急曲げ状態に固定する次のワイヤハーネスについても提案している。
【００２１】
すなわち、本発明に係る他のワイヤハーネスは、電線群と、前記電線群を被覆するコルゲートチューブと、２つのチューブ曲げ角度固定ホルダーと、を備え、前記２つのチューブ曲げ角度固定ホルダーは、いずれも、第１の分割体と、第２の分割体と、前記第１の分割体と前記第２の分割体の合わせ面の一端同士を連結するヒンジと、前記第１の分割体と前記第２の分割体の合わせ面の各他端に設けられ前記他端同士を係止する係止凸部および係止凹部と、前記第１の分割体と前記第２の分割体の各合わせ面に半孔部が凹設されていて、前記第１の分割体と前記第２の分割体とを合わせたときに形成されコルゲートチューブを抱持するコルゲートチューブ貫通孔と、を備え、互いに連結可能な連結用凸部と連結用凹部のうち、連結用凸部が、前記２つのチューブ曲げ角度固定ホルダーのうち、一方のチューブ曲げ角度固定ホルダーの周面部または端面部に設けられ、前記連結用凹部が前記他方のチューブ曲げ角度固定ホルダーの端面部または周面部に設けられ、前記２つのチューブ曲げ角度固定ホルダーにより、前記コルゲートチューブを９０度の急曲げ状態の範囲に連続する両側のストレート位置をそれぞれ抱持し、かつ前記連結用凸部と前記連結用凹部とが係合した構成である。
【発明の効果】
【００２２】
本発明によれば、２個１組によりコルゲートチューブを９０度の急曲げ状態に固定することができるチューブ曲げ角度固定ホルダーおよびワイヤハーネスを提供することができる。
【図面の簡単な説明】
【００２３】
【図１】本発明の第１の実施の形態に係るチューブ曲げ角度固定ホルダーを示す斜視図。
【図２】本発明の第１の実施の形態に係り、（ａ）図はチューブ曲げ角度固定ホルダーの平面図、（ｂ）図は（ａ）図におけるＡ矢視図。
【図３】本発明の第１の実施の形態に係り、２個のチューブ曲げ角度固定ホルダーをコルゲートチューブの９０度の急曲げ状態の範囲の両側位置に取り付けたところを示すワイヤハーネスの要部正面図。
【図４】本発明の第１の実施の形態に係り、チューブ曲げ角度固定ホルダーを２個用いて、コルゲートチューブを９０度に急曲げ状態に固定したところを示すワイヤハーネスの要部正面図。
【図５】本発明の第２の実施の形態に係り、チューブ曲げ角度固定ホルダーを２個用いて、コルゲートチューブを９０度に急曲げ状態に固定したところを示すワイヤハーネスの要部正面図。
【図６】本発明の第３の実施の形態に係り、チューブ曲げ角度固定ホルダーを２個用いて、コルゲートチューブを９０度に急曲げ状態に固定したところを示すワイヤハーネスの要部正面図。
【図７】本発明の第４の実施の形態に係り、チューブ曲げ角度固定ホルダーを２個用いて、コルゲートチューブを９０度に急曲げ状態に固定したところを示すワイヤハーネスの要部正面図。
【図８】従来例に係るケーブル用クランプを示す斜視図。
【図９】従来例に係るケーブル用クランプのコルゲートチューブへの取付状態を示す一部断面した正面図。
【発明を実施するための形態】
【００２４】
以下、本発明を実施するための形態を、図面を用いて説明する。
【００２５】
［第１の実施の形態］
先ず、図１、図２を参照して第１の実施の形態に係るチューブ曲げ角度固定ホルダー４について説明する。
【００２６】
図１、図２に示すように、チューブ曲げ角度固定ホルダー４は、例えばポリプロピレン（Ｐ．Ｐ）などの合成樹脂成形体であり、第１の分割体５と、第２の分割体６と、ヒンジ７と、係止凸部８および係止凹部９の一対と、コルゲートチューブ貫通孔１１と、円弧状凸部１２と、連結用凸部１３と、連結用凹部１４と、を備えている。
【００２７】
第１の分割体５と第２の分割体６は、各合わせ面５ｃ，６ｃに半孔部１０が凹設された半円環体形状であり、中央位置の薄肉部が屈曲するヒンジ７により、第１の分割体５と第２の分割体６の合わせ面５ｃ，６ｃの一端同士が連結されている。
【００２８】
各合わせ面５ｃ，６ｃに凹設された一対の半孔部１０は、第１の分割体５と第２の分割体６とが重ね合わさることにより、コルゲートチューブ貫通孔１１を構成し、コルゲートチューブを抱持する。第１の分割体５の半孔部１０と第２の分割体６の半孔部１０の各孔壁面より突出し、コルゲートチューブ貫通孔１１に挿通されるコルゲートチューブの蛇腹状の３つの谷部に係合する３つの円弧状凸部１２を有する。
【００２９】
係止凸部８と係止凹部９は、第１の分割体５の合わせ面５ｃの他端と、第２の分割体６の合わせ面６ｃの他端とに設けられ、第１の分割体５と第２の分割体６の合わせ面５ｃ，６ｃ同士が重ね合わさるときに、嵌合状態に互いに係止する。なお、係止凸部８と係止凹部９に替えて、公知の雄雌ロック機構に限らず、公知の他の構造のロック機構を適宜に採用することができる。
【００３０】
連結用凸部１３と連結用凹部１４の関係について説明する。連結用凸部１３は第１の分割体５の端面部５ａに設けられている。連結用凹部１４は第２の分割体６の外周面部６ａに設けられている。１つのチューブ曲げ角度固定ホルダー４に備えられた連結用凸部１３と連結用凹部１４は、互いに連結するための対をなしていない。すなわち、ヒンジ７により繋がっている第１の分割体５と第２の分割体６とに分配された連結用凸部１３と連結用凹部１４とは、互いに対向させ接近させることにより相互に連結することが不能である。
【００３１】
２つのチューブ曲げ角度固定ホルダー４のうち、一方のチューブ曲げ角度固定ホルダー４に備えられた連結用凸部１３と他方のチューブ曲げ角度固定ホルダー４に備えられた連結用凹部１４は、互いに連結するための対をなす。連結用凸部１３と連結用凹部１４は、１つのチューブ曲げ角度固定ホルダー４に設けられている関係ではなく、２つのチューブ曲げ角度固定ホルダー４の一方と他方という互いに別体に設けられる関係における連結機能を有する。すなわち、連結用凸部１３と連結用凹部１４は、互いに別体に設けられる関係では、互いに対向させて押圧させることにより、相互に嵌合状態に連結可能であるように構成されている。この意義において、連結用凸部１３と連結用凹部１４とが１つのチューブ曲げ角度固定ホルダー４に備えられている。このことは、後述するワイヤハーネスの構成の説明において明らかになる。
【００３２】
さらに、連結用凸部１３と連結用凹部１４は、前記の互いに別体に設けられる関係では、相互に連結した後は分離不能であるように構成されているのが好ましい。
【００３３】
連結用凸部１３と連結用凹部１４は、この実施の形態では、第１の分割体５と、第２の分割体６との合わせ面５ｃ，６ｃを垂直２等分する一平面（コルゲートチューブ貫通孔１２の中心線を通る一平面）上に位置するように、第１の分割体５の中央位置と、第２の分割体６の中央位置とに分配して設けられている。
【００３４】
次に、図３、図４を参照して第１の実施の形態に係るワイヤハーネス１について説明する。
図３に示すように、ワイヤハーネス１は、電線群２と、電線群２を被覆するコルゲートチューブ３と、図１，図２に示す上記構成の２つのチューブ曲げ角度固定ホルダー４と、を備えている。ワイヤハーネス１は、図４に示すように、２つのチューブ曲げ角度固定ホルダー４により、コルゲートチューブ３の９０度の急曲げ状態の範囲として、ホルダー間の部分３ｂの両側に接する位置をそれぞれ抱持し、かつ図３に示すように、２つのチューブ曲げ角度固定ホルダー４のうち、一方のチューブ曲げ角度固定ホルダー４の第１の分割体５の端面部５ａと、他方のチューブ曲げ角度固定ホルダー４の第２の分割体６の外周面部６ａとが重ね合わされるとともに、コルゲートチューブ３の図４に示すホルダー間の部分３ｂが９０度の急曲げ状態とされ、重ね合わされた第１の分割体５の端面部５ａと第２の分割体６の外周面部６ａとの相互間において、端面部５ａに設けられた連結用凸部１３と、外周面部６ａに設けられた連結用凹部１４とが嵌合状態に係合している構成である。
【００３５】
続いて、第１の実施の形態に係るワイヤハーネス１の組立について説明する。
まず、図１、図２に示すチューブ曲げ角度固定ホルダー４を２個１組として用意し、図４に示すように、２つのチューブ曲げ角度固定ホルダー４により、コルゲートチューブ３のホルダー間の部分３ｂ（９０度の急曲げ状態とする範囲）に連続する両側のストレート位置を２つのチューブ曲げ角度固定ホルダー４によりそれぞれ抱持する。
【００３６】
この場合、一方のチューブ曲げ角度固定ホルダー４に設けられた連結用凸部１３と、他方のチューブ曲げ角度固定ホルダー４に設けられた連結用凹部１４とを、コルゲートチューブ３を９０度に急曲げする側に合わせる必要がある。
【００３７】
連結用凸部１３と連結用凹部１４の、第１の分割体５と第２の分割体６に対して設けられている各位置が相違しているが、チューブ曲げ角度固定ホルダー４を２個１組として用いるものであるから、各チューブ曲げ角度固定ホルダー４をコルゲートチューブ３に対し外嵌する周方向位置を調整することにより、一方のチューブ曲げ角度固定ホルダー４に設けられた連結用凸部１３と、他方のチューブ曲げ角度固定ホルダー４に設けられた連結用凹部１４とを、コルゲートチューブ３を９０度に急曲げする側に合わせることができる。
【００３８】
次いで、一方のチューブ曲げ角度固定ホルダー４を固定して、他方のチューブ曲げ角度固定ホルダー４を、コルゲートチューブ３のホルダー間の部分３ｂが９０度の急曲げ状態になるように移動し、一方のチューブ曲げ角度固定ホルダー４に設けられた連結用凸部１３と、他方のチューブ曲げ角度固定ホルダー４に設けられた連結用凹部１４とを連結することができる。
【００３９】
以上説明したように、第１の実施の形態に係るワイヤハーネス１によれば、溶接バリが張り出している車体パネルで仕切られた狭小な配索空間内で配索経路を９０度曲げて配索しなければならない場合等において、２個１組のチューブ曲げ角度固定ホルダーにより、コルゲートチューブ３を９０度の急曲げ状態に固定することができる。
【００４０】
第１の実施の形態に係るワイヤハーネス１によれば、円弧状凸部１２がコルゲートチューブ貫通孔１１に挿通されるコルゲートチューブ３の蛇腹状の谷部３ａに係合するので、チューブ曲げ角度固定ホルダー４がコルゲートチューブ３に対して位置ずれしないから、一方のチューブ曲げ角度固定ホルダー４に設けられた連結用凸部１３と、他方のチューブ曲げ角度固定ホルダー４に設けられた連結用凹部１４との連結箇所に余計な負荷がかからない。
【００４１】
［第２の実施の形態］
図５を参照して第２の実施の形態に係るチューブ曲げ角度固定ホルダー４Ａおよびワイヤハーネス１Ａについて説明する。第２の実施の形態に係るチューブ曲げ角度固定ホルダー４Ａおよびワイヤハーネス１Ａにおいて、第１の実施の形態との相違点は、連結用凸部１３Ａと連結用凹部１４Ａが、第１の実施の形態の場合に比べ、雌雄逆転して設けられていることである。したがって、以下の説明では、構成については要旨のみを説明し、作用、効果については本質的な差異が無いので説明を省略する。図５中の符号については、図１〜図３において対応している構成要素の符号を付した。
【００４２】
図５に示すように、第２の実施の形態に係るチューブ曲げ角度固定ホルダー４Ａは、第１の分割体５と、第２の分割体６と、第１の分割体５と第２の分割体６の合わせ面（図２参照）の一端同士を連結するヒンジ７と、第１の分割体５と第２の分割体６の合わせ面の各他端に設けられ他端同士を係止する係止凸部８および係止凹部９と、第１の分割体５と第２の分割体６の各合わせ面に半孔部１０が凹設されていて、第１の分割体５と第２の分割体６とを合わせたときに形成されコルゲートチューブ３を抱持するコルゲートチューブ貫通孔１１と、を備え、別体に設けられているとすれば互いに連結可能な連結用凸部１３Ａと連結用凹部１４Ａのうち、連結用凹部１４Ａが第１の分割体５の端面部５ａに設けられ、かつ連結用凸部１３Ａが第２の分割体６の外周面部６ａに設けられた構成である。
【００４３】
図５に示すように、第２の実施の形態に係るワイヤハーネス１Ａは、電線群２と、電線群２を被覆するコルゲートチューブ３と、図５に示す上記構成の２つのチューブ曲げ角度固定ホルダー４Ａと、を備えている。ワイヤハーネス１Ａは、２つのチューブ曲げ角度固定ホルダー４Ａにより、コルゲートチューブ３の９０度の急曲げ状態の範囲として、ホルダー間の部分３ｂの両側に接する位置をそれぞれ抱持し（図４参照）、２つのうちの一方のチューブ曲げ角度固定ホルダー４Ａの第１の分割体５の端面部５ａと、他方のチューブ曲げ角度固定ホルダー４Ａの第２の分割体６の外周面部６ａとが重ね合わされるとともに、コルゲートチューブ３のホルダー間の部分３ｂが９０度の急曲げ状態とされ、重ね合わされた第１の分割体５の端面部５ａと第２の分割体６の外周面部６ａとの相互間において、端面部５ａに設けられた連結用凹部１４Ａと、外周面部６ａに設けられた連結用凸部１３Ａとが嵌合状態に係合している構成である。
【００４４】
［第３の実施の形態］
図７を参照して第３の実施の形態に係るチューブ曲げ角度固定ホルダー４Ｂおよびワイヤハーネス１Ｂについて説明する。第３の実施の形態に係るチューブ曲げ角度固定ホルダー４Ｂおよびワイヤハーネス１Ｂにおいて、第１の実施の形態との相違点は、連結用凸部１３Ｂと連結用凹部１４Ｂが、第１の分割体５の外周面部５ｂと第２の分割体６の外周面部６ａとに設けられていることである。したがって、以下の説明では、構成については要旨のみを説明し、作用、効果については本質的な差異が無いので説明を省略する。図６中の符号については、図１〜図３において対応している構成要素の符号を付した。
【００４５】
図６に示すように、第２の実施の形態に係るチューブ曲げ角度固定ホルダー４Ｂは、第１の分割体５と、第２の分割体６と、第１の分割体５と第２の分割体６の合わせ面（図２参照）の一端同士を連結するヒンジ７と、第１の分割体５と第２の分割体６の合わせ面の各他端に設けられ他端同士を係止する係止凸部８および係止凹部９と、第１の分割体５と第２の分割体６の各合わせ面に半孔部１０が凹設されていて、第１の分割体５と第２の分割体６とを合わせたときに形成されコルゲートチューブ３を抱持するコルゲートチューブ貫通孔１１と、を備え、別体に設けられているとすれば互いに連結可能な連結用凸部１３Ｂと連結用凹部１４Ｂのうち、ソケット形状の連結用凹部１４Ｂが第１の分割体５の外周面部５ｂに設けられ、かつロック爪を有する連結用凸部１３Ｂが第２の分割体６の外周面部６ａに設けられた構成である。
【００４６】
図６に示すように、第２の実施の形態に係るワイヤハーネス１Ｂは、電線群２と、電線群２を被覆するコルゲートチューブ３と、図５に示す上記構成の２つのチューブ曲げ角度固定ホルダー４Ｂと、を備えている。ワイヤハーネス１Ｂは、２つのチューブ曲げ角度固定ホルダー４Ｂにより、コルゲートチューブ３の９０度の急曲げ状態の範囲として、ホルダー間の部分３ｂの両側に接する位置をそれぞれ抱持し（図４参照）、２つのうちの一方のチューブ曲げ角度固定ホルダー４Ｂの第１の分割体５の端面部５ａと、他方のチューブ曲げ角度固定ホルダー４Ｂの第２の分割体６の外周面部６ａとが重ね合わされるとともに、コルゲートチューブ３のホルダー間の部分３ｂが９０度の急曲げ状態とされ、重ね合わされた第１の分割体５の外周面部５ｂと第２の分割体６の外周面部６ａとの相互間において、第１の分割体５の外周面部５ｂに設けられた連結用凹部１４Ｂと、第２の分割体６に設けられた連結用凸部１３Ｂとが嵌合状態に係合している構成である。
【００４７】
［第４の実施の形態］
図７を参照して第４の実施の形態に係るチューブ曲げ角度固定ホルダー４Ｃおよびワイヤハーネス１Ｃについて説明する。
上記の第１〜第３の実施の形態においては、２つのチューブ曲げ角度固定ホルダー４，４Ａ，４Ｂのいずれもが連結用凸部１３，１３Ａまたは１３Ｂと連結用凹部１４，１４Ａまたは１４Ｂとを一対に有しており、したがって、ワイヤハーネスを組み立てる際には、連結に関与しない連結用凸部１３，１３Ａまたは１３Ｂと連結用凹部１４，１４Ａまたは１４Ｂとが存在する。そこで、次の実施の形態では、連結用凸部１３Ｃを１つ有するチューブ曲げ角度固定ホルダー４Ｃと、連結用凹部１４Ｃを１つ有するチューブ曲げ角度固定ホルダー４Ｃとを用いて、コルゲートチューブ３を９０度の急曲げ状態に固定するワイヤハーネス１Ｃについて提案する。
【００４８】
第４の実施の形態に係るチューブ曲げ角度固定ホルダー４Ｃおよびワイヤハーネス１Ｃにおいて、第１の実施の形態との相違点は、連結用凸部１３Ｃと連結用凹部１４Ｃが、第１の分割体５と第２の分割体６とに分かれて設けられていることではなく、２つのチューブ曲げ角度固定ホルダー４Ｃに分かれて設けられていることである。したがって、以下の説明では、構成については要旨のみを説明し、作用、効果については本質的な差異が無いので説明を省略する。図６中の符号については、図１〜図３において対応している構成要素の符号を付した。
【００４９】
第４の実施の形態に係るワイヤハーネス１は、電線群２と、電線群２を被覆するコルゲートチューブ３と、合わせ面（図２参照）の一端同士がヒンジ７で連結された第１の分割体５と第２の分割体６の合わせ面の他端同士が、各他端に設けられた係止凸部８および係止凹部９で係止され、かつ第１の分割体５と第２の分割体６とを合わせたときに形成されコルゲートチューブ３を抱持するコルゲートチューブ貫通孔１１を有する２つのチューブ曲げ角度固定ホルダー４Ｃと、を備えている。
【００５０】
図７に示すように、第４の実施の形態に係るワイヤハーネス１Ｃは、電線群２と、電線群２を被覆するコルゲートチューブ３と、２つのチューブ曲げ角度固定ホルダー４Ｃと、を備えている。ワイヤハーネス１Ｃは、２つのチューブ曲げ角度固定ホルダー４Ｃにより、コルゲートチューブ３の９０度の急曲げ状態の範囲として、ホルダー間の部分３ｂの両側に接する位置をそれぞれ抱持し（図４参照）、２つのチューブ曲げ角度固定ホルダー４Ｃのうち、一方のチューブ曲げ角度固定ホルダー４Ｃの第１の分割体５の端面部５ａと、他方のチューブ曲げ角度固定ホルダー４Ｃの第２の分割体６の外周面部６ａとが重ね合わされるとともに、ホルダー間の部分３ｂが９０度の急曲げ状態とされ、重ね合わされた第１の分割体５の端面部５ａと第２の分割体６の外周面部６ａとの相互間において、端面部５ａに設けられた連結用凹部１４Ｃと、外周面部６ａに設けられた連結用凸部１３Ｃとが嵌合状態に係合している構成である。
【００５１】
連結用凹部１４Ｃと連結用凸部１３Ｃとの係合は、第１の実施の形態の場合と同一であり、第１の実施の形態と相違する点は、連結に関与しない連結用凸部と連結用凹部とが存在しないことである。第４の実施の形態に係るワイヤハーネス１Ｃは、連結用凸部１３Ｃを１つ有するチューブ曲げ角度固定ホルダー４Ｃと、連結用凹部１４Ｃを１つ有するチューブ曲げ角度固定ホルダー４Ｃとの、２種類１組のホルダーを用いているので、部品の管理番号が第１〜第３の実施の形態に比べて１つ増えるという相違がある。
【００５２】
なお、図７に示す第４の実施の形態に関する変形例として、図５に示す雌雄逆転した連結構造、図６に示すソケット形状の連結用凹部１４Ｂとロック爪を有する連結用凸部１３Ｂとからなる連結構造に替えてもよい。
【００５３】
本発明によれば、２個１組によりコルゲートチューブを９０度の急曲げ状態に固定するという効果を有し、チューブ曲げ角度固定ホルダーおよびこれを用いたコルゲートチューブの全般に有用である。
【符号の説明】
【００５４】
１，１Ａ，１Ｂ，１Ｃ  ワイヤハーネス
２  電線群
３  コルゲートチューブ
３ａ  谷部
４，４Ａ，４Ｂ，４Ｃ  チューブ曲げ角度固定ホルダー
５  第１の分割体
５ａ  端面部
５ｂ  外周面部
５ｃ  合わせ面
６  第２の分割体
６ａ  外周面部
６ｃ  合わせ面
７  ヒンジ
８  係止凸部
９  係止凹部
１０  半孔部
１１  コルゲートチューブ貫通孔
１２  円弧状凸部
１３，１３Ａ，１３Ｂ，１３Ｃ  連結用凸部
１４，１４Ａ，１４Ｂ，１４Ｃ  連結用凹部
【図１】
2017139863.tif 000003
【図２】
2017139863.tif 000004
【図３】
2017139863.tif 000005
【図４】
2017139863.tif 000006
【図５】
2017139863.tif 000007
【図６】
2017139863.tif 000008
【図７】
2017139863.tif 000009
【図８】
2017139863.tif 000010
【図９】
2017139863.tif 000011